(57)【特許請求の範囲】
【請求項１】
斜面に多数のアンカーを分布させて挿入し、各アンカーの頭部に支圧板をそのアンカー貫通穴にアンカー頭部が貫通するように配しかつ締着する斜面安定化工法を施工するに際して、前記支圧板と地盤との間に配置される不陸調整マットであって、
厚み方向に弾力性を有する帯状体が、アンカーを囲むように複数箇所で折り返されて環状に形成されたことを特徴とする斜面安定化工法用の不陸調整マット。
【請求項２】
前記帯状体が、吸水性を有する材料からなることを特徴とする請求項１記載の斜面安定化工法用の不陸調整マット。
【請求項３】
前記帯状体を単に円形に湾曲させ両端を接合して単なる輪を形成し、この単なる輪の４ヶ所を、各辺における両側の折り返し部が対称的な重なり態様となるように折り返して平坦な略四角形状にしたことを特徴とする請求項１又は２記載の斜面安定化工法用の不陸調整マット。
【請求項４】
前記帯状体を半回転捻った上で円形に湾曲させ両端を接合してメビウスの輪を形成し、このメビウスの輪の３ヶ所を、３辺のうちの２辺における両側の折り返し部が対称的な重なり態様となり、残りの１辺における両側の折り返し部が互いに上下逆の重なり態様となるように折り返して平坦な略三角形状にしたことを特徴とする請求項１又は２記載の斜面安定化工法用の不陸調整マット。
【請求項５】
前記帯状体の複数箇所を、両先端部分が出会うまで順次折り返して多角形状にしたことを特徴とする請求項１又は２記載の斜面安定化工法用の不陸調整マット。
【請求項６】
多角形にした後に帯状体の両端を接合したことを特徴とする請求項５記載の斜面安定化工法用の不陸調整マット。
【請求項７】
斜面に多数のアンカーを分布させて挿入し、各アンカーの頭部に支圧板をそのアンカー貫通穴にアンカー頭部が貫通するように配しかつ締着する斜面安定化工法において、
前記支圧板と地盤との間に、厚み方向に弾力性を有する帯状体がアンカーを囲むように複数箇所で折り返されて環状に形成された不陸調整マットを配置することを特徴とする斜面安定化工法。
【発明の詳細な説明】
【技術分野】
【０００１】
この発明は、アンカー頭部に支圧板を装着する斜面安定化工法を施工するに際して支圧板と地盤との間に両者間の空隙を埋めるために用いる斜面安定化工法用の不陸調整マット、及び、不陸調整マットを配置して行う斜面安定化工法に関する。
【背景技術】
【０００２】
図８はアンカー頭部に支圧板を装着する斜面安定化工法の一般的な施工法を説明するもので、斜面に多数のアンカー１を分布させて挿入し、各アンカーの頭部に、支圧板２をそのアンカー貫通穴にアンカー頭部が貫通するように配し、アンカー１の頭部のねじ部にナット３を螺合させ締め付けて、支圧板２で地盤を押圧する。
アンカー１は先端が岩盤４に定着されるように施工される。５は斜面安定効果を高めるためにアンカー１の頭部間を連結するワイヤロープである。
【０００３】
上記の斜面安定化工法を施工する斜面に凹凸すなわち不陸がある箇所では、支圧板２と地盤との間に空隙が生じる。支圧板２と地盤との間に空隙があると、支圧板２が地盤に対して四方に均等な支圧力を作用させず、斜面安定効果が充分に発揮できない恐れがある。
また、空隙に雨水が浸入して、支圧板２が接する地面が侵食される恐れもある。
そこで、そのような箇所では支圧板２と地盤との間の空隙を何らかの手段で埋めることが行われているが、空隙を埋める手段として、厚み方向に圧縮変形可能な不陸調整材を配置して、支圧板２と地盤との空隙を埋める方法、あるいは、空隙に充填材を裏込めする方法などがある。
【０００４】
支圧板と地盤との間の空隙に配置する不陸調整材として、例えば、充分な厚みを持ちその厚み方向に弾力性を持つ不織布やスポンジ等を支圧板の形状（輪郭及びアンカー貫通穴）に合わせて切り出した座布団状のマットなどが用いられている。
【０００５】
また、空隙に充填材を裏込めする方法として、支圧板と地盤との間に、支圧板の形状（輪郭及びアンカー貫通穴）に合わせた袋体を介在させ、この袋体の内部にグラウト材などの充填材を充填して膨張させ、空隙を埋める方法がある（特許文献１の段落番号[０００３]等）。
また、支圧板の形状に合わせた袋体の内部に、充填材を含浸可能かつ圧縮変形可能なスポンジ、発泡ウレタン、パルプ製品、パーム等の物質を収納した裏込め用部材を、支圧板と地盤との間に介在させ、支圧板を締着して裏込め用部材を圧縮変形して斜面の凹凸にフィットさせた後に、裏込め用部材内にセメントミルク等の充填材を注入して固化させるという方法もある（特許文献２の接着剤、段落番号[００１２]、[００２８]等）。
【特許文献１】特開２００１−２９５２７１
【特許文献２】特開２０００−１４４７５４
【発明の開示】
【発明が解決しようとする課題】
【０００６】
上記従来の座布団状のマットは、支圧板の形状に合わせて切断する必要があるが、弾力性のある厚い不織布やスポンジ等を所定の形状に切断する加工は容易でない。輪郭だけでなくアンカー貫通穴もあける必要があることで、加工が特に困難なものとなる。
また、支圧板の形状毎に製作する必要があるので、汎用性に欠ける。
また、切断して所定の形状に切り出すので、残材が多く発生し、その廃棄処理も煩雑であり、費用もかかる。
また、座布団状のマットは通常、段ボール箱等へ箱詰めされて施工現場に運搬されるが、支圧板形状なので、隙間が多く、箱への収まりが悪いため運搬効率が悪い。
【０００７】
また、袋体に充填材を充填する方法は、支圧板の形状（輪郭及びアンカー貫通穴）に合わせた袋体を製作すること自体が煩雑である上、袋体を支圧板と地盤との間に配置した後にその内部に充填材を注入する作業が必要なので、極めて煩雑でありコストも高くつく。また、座布団状のマットと同様に、汎用性に欠ける。
【０００８】
本発明は上記従来の欠点を解消するためになされたもので、加工が容易で、安価に製作することができ、残材の発生も殆どなく、また、種々の形状の支圧板に容易に対応できて汎用性に富み、さらに施工現場への運搬効率のよい斜面安定化工法用の不陸調整マット、及び、不陸調整マットを用いた斜面安定化工法を提供することを目的とする。
【課題を解決するための手段】
【０００９】
上記課題を解決する本発明は、斜面に多数のアンカーを分布させて挿入し、各アンカーの頭部に支圧板をそのアンカー貫通穴にアンカー頭部が貫通するように配しかつ締着する斜面安定化工法を施工するに際して、前記支圧板と地盤との間に配置される不陸調整マットであって、
厚み方向に弾力性を有する帯状体が、アンカーを囲むように複数箇所で折り返されて環状に形成されたことを特徴とする。
【００１０】
請求項２は、請求項１の不陸調整マットにおいて、帯状体が、吸水性を有する材料からなることを特徴とする。
【００１１】
請求項３は、請求項１又は２の不陸調整マットにおいて、帯状体を単に円形に湾曲させ両端を接合して単なる輪を形成し、この単なる輪の４ヶ所を、各辺における両側の折り返し部が対称的な重なり態様となるように折り返して平坦な略四角形状にしたことを特徴とする。
【００１２】
請求項４は、請求項１又は２の不陸調整マットにおいて、帯状体を半回転捻った上で円形に湾曲させ両端を接合してメビウスの輪を形成し、このメビウスの輪の３ヶ所を、３辺のうちの２辺における両側の折り返し部が対称的な重なり態様となり、残りの１辺における両側の折り返し部が互いに上下逆の重なり態様となるように折り返して平坦な略三角形状にしたことを特徴とする。
【００１３】
請求項５は、請求項１又は２の不陸調整マットにおいて、帯状体の複数箇所を、両先端部分が出会うまで順次折り返して多角形状にしたことを特徴とする。
【００１４】
請求項６は、請求項５の不陸調整マットにおいて、多角形にした後に帯状体の両端を接合したことを特徴とする。
【００１５】
請求項７の発明は、斜面に多数のアンカーを分布させて挿入し、各アンカーの頭部に支圧板をそのアンカー貫通穴にアンカー頭部が貫通するように配しかつ締着する斜面安定化工法において、
前記支圧板と地盤との間に、厚み方向に弾力性を有する帯状体がアンカーを囲むように複数箇所で折り返されて環状に形成された不陸調整マットを配置することを特徴とする。
【発明の効果】
【００１６】
本発明の不陸調整マット、及び本発明の斜面安定化工法に用いる不陸調整マットは、帯状体がアンカーを囲むように複数箇所で折り返されて環状に形成されたものなので、適切な長さ及び幅の帯状体を用いるだけで、支圧板の形状に合わせるための切断加工を必要とせずに、支圧板の形状に合った輪郭及びアンカー貫通穴を持つ不陸調整マットを容易に得ることができる。
このように所望の輪郭とするための切断加工が不要であり、特にアンカー貫通穴をあける必要がないので、加工が著しく容易であり、また、安価に製作できる。
また、所望の輪郭とするための切断加工が不要で、残材の発生がないため、煩雑な廃棄処理も不要となり、無駄な費用が発生しない。
【００１７】
請求項２の不陸調整マットによれば、吸水性を有するので、支圧板に接する地面が水で侵食されることを防止するために有効である。
【００１８】
請求項３の不陸調整マットは、支圧板が四角形である場合に用いて好適である。
請求項４の不陸調整マットは、支圧板が三角形の場合に用いて好適である。
【００１９】
請求項５及び６の不陸調整マットによれば、種々の形状の支圧板に対して容易に対応することができ、特に汎用性が高い。
【発明を実施するための最良の形態】
【００２０】
以下、本発明の不陸調整マット、及び斜面安定化工法の実施例を、図１〜図８参照して説明する。
【実施例１】
【００２１】
図８は既に説明したが、本発明が適用される斜面安定化工法の一般的な施工法を説明するもので、斜面に多数のアンカー１を分布させて挿入し、各アンカーの頭部に、支圧板２（１０、２０、３０）をそのアンカー貫通穴にアンカー頭部が貫通するように配し、アンカー１の頭部のねじ部にナット３を螺合させ締め付けて、支圧板２で地盤を押圧する。アンカー１は先端が岩盤４に定着されるように施工される。５は斜面安定効果を高めるためにアンカー１の頭部間を連結するワイヤロープである。
本発明は、施工する斜面に凹凸すなわち不陸があって、支圧板２と地盤との間に空隙が生じる場合に、支圧板２と地盤との間に配置される不陸調整マット、及び、この不陸調整マットを用いる斜面安定化工法である。
【００２２】
図１（イ）は本発明の一実施例の不陸調整マット１１を用いて斜面安定化工法を施工した斜面のアンカー頭部近傍の断面図、図１（ロ）は（イ）における支圧板１０と不陸調整マット１１とのみを示した平面図、図２は不陸調整マット１１のみを示した平面図である。
【００２３】
図示例の支圧板１０は、鋼製支圧板であり、三角形の各頂点部を面取りしてなる略三角形の底板１２の中央に円形のアンカー貫通穴１２ａをあけ、この底板１２にアンカー貫通穴１２ａに合わせて丸管による補強パイプ１３を垂直に溶接固定し、底板１２を補強する補強リブ１４を補強パイプ１３の外周から三方に延出するように溶接固定した構造である。
図１（イ）では図示を省略したが、斜面に施工されたアンカーの頭部間は図８と同様にワイヤロープで連結される。１４ａはワイヤロープを通す切欠きである。
【００２４】
本発明では、支圧板１０と地盤との間に、厚み方向に弾力性を有する帯状体がアンカーを囲むように複数箇所で折り返されて環状に形成された不陸調整マット１１を配置する。図示の不陸調整マット１１は輪郭が略三角形状の支圧板（底板１２の輪郭が略三角形状である支圧板）１０に合わせて、それより若干大きな略三角形状とした不陸調整マット１１である。
この不陸調整マット１１は、帯状体を半回転捻った上で円形に湾曲させ両端を接合してメビウスの輪を形成し、このメビウスの輪を平坦に押し潰して略三角形にしたものである。ここで略三角形とは三角形の各頂点部を面取りした形状を指すが、面取り部の長さ部分を辺と見れば、六角形とも言える。
図３にその過程を示す。同図（イ）は折り返しをする前の帯状体１１ａを示す。
同図（ロ）は帯状体１１ａを半回転捻ろうとする様子を示す。
同図（ハ）は帯状体１２ａを半回転捻り両端を接合して形成したメビウスの輪１１ｂを示す。
同図（ニ）はメビウスの輪１１ｂを押し潰して略三角形に形成した不陸調整マット１１を示す。
このように、この不陸調整マット１１は、メビウスの輪１１ｂの３ヶ所を、図２にも示すように、３辺のうちの２辺Ｓ１、Ｓ２における両側の折り返し部Ｆが対称的な重なり態様となり、残りの１辺Ｓ３における両側の折り返し部Ｆが互いに上下逆の重なり態様となるように折り返して平坦な略三角形状にしたものである。これにより中央部に三角形のアンカー貫通穴１１ｃが形成される。
【００２５】
使用する帯状体１１ａには、厚み方向に弾力性を持ち折り返し可能な材料を用いる。
帯状体の形態としては、織布、不織布、ネット、板状体、スポンジ等を用いることができる。
織布としては例えばナイロン・ポリエステル系、ポリプロピレン系等を用いることができる。不織布としてはポリエステル系、ポリプロピレン系、ヤシ繊維系、合繊等を用いることができる。ネットとしてはポリエチレン、ポリエステル、ガラス繊維、ポリプロピレン等を用いることができる。板状体としては軟質の種々のプラスチックやゴムを用いることができる。スポンジとしても種々の材質のものを用いることができる。
【００２６】
上記の不陸調整マット１１は、帯状体１１ａを半回転捻って形成したメビウスの輪１１ｂを略三角形状に平坦に押し潰すことで形成されるので、適切な長さ及び幅の帯状体１１ａを用いるだけで、支圧板１０の形状に合わせるための切断加工を必要とせずに、支圧板１０の形状に合った輪郭及びアンカー貫通穴１１ｃを持つ不陸調整マット１１を容易に得ることができる。
このように所望の輪郭とするための切断加工が不要であり、特にアンカー貫通穴をあける必要がないので、加工が著しく容易であり、また、安価に製作できる。
また、所望の輪郭とするための切断加工が不要で、残材の発生がないため、煩雑な廃棄処理も不要となり、無駄な費用が発生しない。
また、従来の座布団状のマットと異なり、段ボール箱等に箱詰めして施工現場に運搬する際、帯状（帯状体１１ａ）のまま箱詰めすればよいので、段ボール箱等に密に収めることができ、運搬効率がよい。
なお、長い帯状素材のまま（例えば長い帯状素材をロール巻きした状態で）、施工現場に運搬し、現場で所定長さに切断して用いることも可能である。この場合は、現場で所定の長さに切断する作業が必要となるが、運搬効率がよい上、現場で任意の支圧板サイズに対応することができる。
【００２７】
また、帯状体１１ａの材料としてスポンジ等、吸水性を有する材料を用いると、支圧板１０に接する地面が水で侵食されることを防止するために有効である。
【実施例２】
【００２８】
図４（イ）は本発明の他の実施例の不陸調整マット２１の平面図、同図（ロ）は支圧板２０とともに示した平面図である。
この不陸調整マット２１は、輪郭が略四角形状の支圧板（底板２２の輪郭が略四角形状である支圧板）２０に合わせて、それより若干大きな略四角形状とした不陸調整マット２１である。ここで略四角形とは四角形の各頂点部を面取りした形状を指すが、帯状体の幅が広く各面取り部の長さが長いので八角形とも言える。支圧板２０は、輪郭が略四角形であることを除けば図１に示した支圧板１０と同様な基本構造有しており、２２ａはアンカー貫通穴、２３は補強パイプ、２４は補強リブである。
この不陸調整マット２１は、帯状体を単に円形に湾曲させ両端を接合して単なる輪を形成し、この単なる輪を平坦に押し潰して略四角形状にしたものである。
図５にその過程を示す。
同図（イ）は帯状体２１ａを単なる円形に湾曲させ両端を接合して単なる輪２１ｂを形成した状態を示す。
同図（ロ）は前記輪２１ｂを直角二方向にそれぞれ平行な２辺ができるよう押し潰す途中状態を示す。
同図（ハ）は平坦に押し潰されて略四角形状の不陸調整マット２１が得られた状態を示す（図４とは４５°向きを変えている）。中央部に四角形のアンカー貫通穴２１ｃが形成される。
上記のようにして得られた不陸調整マット２１は、４つの各辺Ｓ１、Ｓ２、Ｓ３、Ｓ４における両側の折り返し部Ｆが対称的な重なり態様となるように折り返された構成となっている。
この略四角形の不陸調整マット２１も、図１〜図３の不陸調整マット１１と同様な効果を奏する。
【実施例３】
【００２９】
上述の各実施例の不陸調整マット１１、２１は、帯状体を輪（メビウスの輪あるいは単なる輪）にした後、それを押し潰して略三角形状あるいは略四角形状にしているが、帯状体を両先端部分が出会うまで順次折り返して形成することもできる。
例えば、図６は図４の不陸調整マット２１と同様な略四角形状の不陸調整マット２１’を製作する他の方法を説明するもので、図６（イ）のように両端を斜めに切断した帯状体２１’ａを１点鎖線ａの位置で谷折りに折り返すと、同図（ロ）のような形状となる。同図で１点鎖線ｂの位置で谷折りに折り返すと、同図（ハ）のような形状となる。同図で１点鎖線ｃの位置で谷折りに折り返すと、同図（ニ）のような略四角形の不陸調整マット２１’が得られる。図示例の不陸調整マット２１’は帯状体の両端部が接合されておらず単に重なっているだけである。
なお、上述の説明では、各折り返し位置ａ、ｂ、ｃでいずれも谷折りとしたが、山折りであってもよい。要するに多角形になるように順次折り返せばよい。
図示例では両端を斜めに切断した帯状体２１ａ’を用いたが、最終的に図６（ニ）のような形状となればよく、両端の形状は適宜変更することできる。
また、図示例では帯状体２１ａ’の両端部が重なっているが、必ずしも両端部が重なるものである必要はなく、両端部が単に接しているか近接しているだけであってもよい。また、両先端部近傍が重なっているが両先端がそれぞれ重なり部からさらに延出していてもよい。
また、上記のように折り返して略四角形にした後に、帯状体２１ａ’の両端の重なり部を接着剤で接合してもよい。
【００３０】
図６のように帯状体２１ａ’を順次折り返して略四角形の不陸調整マット２１’を得ることができるが、図２と同様な略三角形状の不陸調整マットでも、同様に帯状体を順次折り返して得ることができる。
さらに、略五角形あるいはそれ以上の多角形の不陸調整マット２１でも、帯状体を順次折り返す方法で製作することができる。
図７（イ）は略五角形の場合であり、帯状体３１ａを順次折り返して略五角形の不陸調整マット３１としたものである。略五角形の５つの辺をＳ１、Ｓ２、Ｓ３、Ｓ４、Ｓ５で示す。この場合も、略五角形とは五角形の各頂点部を面取りした形状を指すが、帯状体の幅が広く各面取り部の長さが長いので十角形とも言える。
この不陸調整マット３１は、円形に近い形状となっており、図７（ロ）に示すように、円形の支圧板３０に適用して好適である。支圧板３０は、輪郭が円形であることを除けば図１や図４（ロ）に示した支圧板と同様な基本構造を有しており、３２は底板、３２ａはそのアンカー貫通穴、３３は補強パイプ、３４は補強リブである。
【実施例４】
【００３１】
上述の各実施例では鋼製の支圧板を用いているが、本発明の不陸調整マットは、引用文献１や引用文献２のようなコンクリート製の支圧板（受圧板）を用いる場合、あるいは鋳物製の支圧板を用いる場合にも、同様に適用できる。
【図面の簡単な説明】
【００３２】
【図１】（イ）は本発明の一実施例の斜面安定化工法を施工した斜面のアンカー頭部近傍の断面図、（ロ）は（イ）における支圧板と不陸調整マットのみを示した平面図である。
【図２】図１における本発明の一実施例の不陸調整マットのみを示す平面図である。
【図３】図２の不陸調整マットを製作する要領を説明する図であり、（イ）〜（ニ）の順に形成される。（ホ）は支圧板とともに示したである。
【図４】本発明の他の実施例の不陸調整マットを示すもので、（イ）は不陸調整マットの平面図、（ロ）は不陸調整マットを支圧板とともに示した平面図である。
【図５】図４の不陸調整マットを製作する要領を説明する図であり、（イ）〜（ハ）の順に形成される。
【図６】図４の不陸調整マットを製作する他の方法を説明する図であり、（イ）〜（ニ）の順に形成される。
【図７】本発明の他の実施例の不陸調整マットを説明するもので、（イ）は不陸調整マットの平面図、（ロ）は不陸調整マットを支圧板とともに示した平面図である。
【図８】アンカー頭部に支圧板を装着する一般的な斜面安定化工法を説明する図である。
【符号の説明】
【００３３】
１  アンカー
２、１０、２０、３０  支圧板
３  ナット
１１、２１、２１’、３１  不陸調整マット
１１ａ、２１ａ、２１ａ’、３１ａ  帯状体
１１ｂ  メビウスの輪
１１ｃ、２１ｃ、２１ｃ’、３１ｃ  （不陸調整マットの）アンカー貫通穴
１２、２２、３２  底板
１２ａ、２２ａ、３２ａ  （支圧板の）アンカー貫通穴
１３、２３，３３  補強パイプ
１４、２４、３４  補強リブ
【図１】
0005036635.tif 000002
【図２】
0005036635.tif 000003
【図３】
0005036635.tif 000004
【図４】
0005036635.tif 000005
【図５】
0005036635.tif 000006
【図６】
0005036635.tif 000007
【図７】
0005036635.tif 000008
【図８】
0005036635.tif 000009